(57)【特許請求の範囲】
【請求項１】
第１の筐体と第２の筐体とを接続機構により展開可能に接続してなる移動通信端末であって、
前記第１の筐体に設けられた第１のスピーカと、
前記第２の筐体に設けられた第２のスピーカと、
ステレオオーディオ信号を前記第１および第２のスピーカから拡声出力させるステレオ再生手段と、
着信発生時に、前記第１および第２のスピーカのいずれか一方を選択し、この選択したスピーカから着信報知音を出力させる着信報知制御手段と、
前記着信報知音を出力するために選択されるスピーカが設置されている筐体に、前記第１および第２の筐体が折り畳まれた状態で前記スピーカから発生されかつ当該筐体に設けられた放音孔を通して放出された着信報知音を筐体外へ導出するための溝状の導出部と
を具備することを特徴とする移動通信端末。
【請求項２】
第１の筐体と第２の筐体とを接続機構により展開可能に接続してなる移動通信端末であって、
前記第１の筐体に設けられた第１のスピーカと、
前記第２の筐体に設けられた第２のスピーカと、
ステレオオーディオ信号を前記第１および第２のスピーカから拡声出力させるステレオ再生手段と、
着信発生時に、前記第１および第２のスピーカのいずれか一方を選択し、この選択したスピーカから着信報知音を出力させる着信報知制御手段と
を具備し、
前記着信報知制御手段は、着信発生時に、待ち受け中であるかステレオオーディオ信号の再生中であるかを判定し、待ち受け中であれば前記第１および第２のスピーカのいずれか一方を選択してこの選択したスピーカから着信報知音を出力させ、一方ステレオオーディオ信号の再生中であれば前記第１および第２のスピーカの両方を選択してこれらのスピーカからステレオオーディオ信号からなる着信報知音を出力させることを特徴とする移動通信端末。
【請求項３】
第１の筐体と第２の筐体とを接続機構により展開可能に接続してなる移動通信端末であって、
前記第１の筐体に設けられた第１のスピーカと、
前記第２の筐体に設けられた第２のスピーカと、
ステレオオーディオ信号を前記第１および第２のスピーカから拡声出力させるステレオ再生手段と、
着信発生時に、前記第１および第２のスピーカのいずれか一方を選択し、この選択したスピーカから着信報知音を出力させる着信報知制御手段と
を具備し、
前記着信報知制御手段は、着信発生時に、待ち受け中であるかステレオオーディオ信号の再生中であるかを判定し、ステレオオーディオ信号の再生中であれば前記第１および第２のスピーカの両方を選択してこれらのスピーカからステレオオーディオ信号からなる着信報知音を出力させることを特徴とする移動通信端末。
【発明の詳細な説明】
【０００１】
【発明の属する技術分野】
この発明は、携帯電話機や携帯情報端末等の移動通信端末に係わり、特に音楽データの再生機能を備えた移動通信端末に関する。
【０００２】
【従来の技術】
最近、ネットワーク上に設けられた音楽サイトから移動通信端末へ音楽オーディオデータをダウンロードするサービスが提供されている。このサービスを利用すると、ユーザは自身の携帯電話機等を使用することで、希望する楽曲の音楽オーディオデータを場所を問わず随時取得して楽しむことができ大変便利である。しかしながら、この種のサービスを利用するには、一般に移動通信端末とは別にオーディオプレーヤを用意し、移動通信端末により受信した音楽オーディオデータをケーブル等を介してオーディオプレーヤに転送して保存し、このオーディオプレーヤを操作することで再生する必要がある。このため、ユーザは移動通信端末とオーディオプレーヤの両方を携帯しなければならず、取り扱いが著しく煩わしかった。
【０００３】
【発明が解決しようとする課題】
そこで、移動通信端末にオーディオプレーヤの機能を持たせることが検討されている。しかしながら、従来の移動通信端末はスピーカを１個しか備えていない。このため、受信した音楽データがステレオ録音されたものであってもモノラル再生しか行えなかった。また、ステレオ再生用にスピーカを２個設けることも考えられる。しかし、最近の小型化が進んでいる移動通信端末にあっては、２個のスピーカを十分な距離を隔てて設置することは一般に困難であり、良好なステレオ音響効果を得ることができなかった。また、ステレオ音響効果を重視しようとすると移動通信端末の大型化が避けられず携帯性の悪化を招いていた。
【０００４】
この発明は上記事情に着目してなされたもので、その目的とするところは、携帯性を損なわずに良好なステレオ音響効果が得られるようにした移動通信端末を提供することにある。
【０００５】
【課題を解決するための手段】
上記目的達成するためにこの発明は、第１の筐体と第２の筐体とを接続機構により展開可能に接続してなる移動通信端末にあって、第１の筐体に第１のスピーカを設けると共に、第２の筐体に第２のスピーカを設け、ステレオオーディオ信号を上記第１および第２のスピーカから拡声出力させるようにしたものである。
【０００６】
したがってこの発明によれば、例えば音楽サイトからダウンロードされた音楽オーディオデータを移動通信端末において再生する場合に、第１および第２のスピーカを使用してステレオ再生を行うことが可能となる。しかも、第１および第２のスピーカをそれぞれ第１および第２の筐体に設けることでスピーカ間の距離を十分に離すことが可能となり、これにより高いステレオ音響効果を得ることができる。また、展開機能を持つ移動通信端末を使用することで、待ち受け時には第１および第２の筐体が小さく収納されるので携帯性を損なう心配もない。
【０００７】
またこの発明は、着信報知制御手段をさらに備え、着信発生時に、第１および第２のスピーカのいずれか一方を選択し、この選択したスピーカから着信報知音を出力させることも特徴とする。
このように構成すると、ステレオ再生用のスピーカを利用して着信報知音を出力させることができ、これにより着信報知専用のスピーカを不要にして端末の小型化が可能となる。しかも、２個あるスピーカのうち、着信報知に適した一方が選択されて着信報知音が出力されるので、２個のスピーカをそのまま使用して着信報知音を出力する場合に比べ、消費電流を低減してバッテリ寿命を延ばすことができる。
【０００８】
しかもこの発明では、着信報知音を拡声出力するために選択されるスピーカが設置されている筐体に、着信報知音を筐体外へ導出するための導出部をさらに設け、第１および第２の筐体が折り畳まれた状態で上記スピーカから発生されたのち当該筐体に設けられた放音孔を通して放出された着信報知音を、上記溝状の導出部を通して筐体外へ導出するように構成している。
このように構成すると、待ち受け状態において第１および第２の筐体が折り畳まれてスピーカが端末内に収容される場合でも、着信報知音を十分な音量で端末外に出力することができる。
【０００９】
さらにこの発明は、前記着信報知制御手段において、着信発生時に、待ち受け中であるかステレオオーディオ信号の再生中であるかを判定する。そして待ち受け中であれば、上記第１および第２のスピーカのいずれか一方を選択してこの選択したスピーカから着信報知音を出力させる。これに対しステレオオーディオ信号の再生中であれば、上記第１および第２のスピーカの両方を選択し、これらのスピーカからステレオオーディオ信号からなる着信報知音を出力させることも特徴とする。
【００１０】
このような構成であれば、待ち受け中には２個のスピーカのうち一方から着信報知音が出力される。一般に、待ち受け状態では筐体が折り畳まれている場合が多く、２個のスピーカから着信報知音を出力させることは無意味である。そこで、上記したように一方のスピーカのみから着信報知音を出力させることで、無駄な電力消費を削減することができる。一方、ステレオオーディオ信号の再生中には２個のスピーカの両方を使用して着信報知音がステレオ再生出力される。このため、高音質で臨場感のある着信報知が可能となる。
【００１１】
【発明の実施の形態】
（第１の実施形態）
以下、この発明に係わる移動通信端末の第１の実施形態を、図面を参照して説明する。先ず、移動通信端末の構成について説明する。図１はその外観を示すもので、（ａ）は正面図、（ｂ）は側面図である。
【００１２】
この移動通信端末は、第１の筐体１ａと第２の筐体１ｂとをヒンジ機構２により回動自在に結合した、いわゆる折り畳み型のＰＨＳ端末であり、第１の筐体１ａの前面パネルには液晶表示器（ＬＣＤ）９０が、一方第２の筐体１ｂの前面パネルにはキー入力部８０が配設されている。
【００１３】
また、上記第１及び第２の各筐体の前面パネル端部にはそれぞれ、第１のスピーカ４３Ｌ及び第２のスピーカ４３Ｒが設置されている。これら第１及び第２のスピーカ４３Ｌ，４３Ｒは、通話時には相手話者の受話音声を拡声出力する受話器として使用され、またオーディオ再生時にはオーディオ信号をステレオ再生するスピーカとして、さらに着信時には着信報知音を出力するためにそれぞれ使用される。
【００１４】
さらに、上記第１の筐体１ａの前面パネルにおける第１のスピーカ４３Ｌの設置部位には凹部４が形成されており、この凹部４の端部は図２に示すように第１の筐体１ａの端部において開放されている。この凹部４は、第１及び第２の筐体１ａ，１ｂを図３に示すように折り畳んだ状態において、第１のスピーカ４３Ｌから発生された着信報知音を筐体外部へ放出させる機能を有する。図４は上記図３の要部であるスピーカ設置部位の構成を拡大して示した図である。
なお、３Ｌ，３Ｒは筐体１ａ，１ｂに設けられた放音孔であり、それぞれスピーカ４３Ｌ，４３Ｒから発生された音を筐体外へ放出するものである。
【００１５】
一方、この移動通信端末の回路は次のように構成される。図５はその機能構成を示すブロック図である。
この移動通信端末はＰＨＳ端末であり、アンテナ１１を備えた無線部１０と、モデム部２０と、ＴＤＭＡ部３０と、通話部４０とを備え、さらに制御部５０と、情報記憶部６０と、データ通信部７０と、オーディオ復号部７１と、キー入力部８０及び液晶表示器（ＬＣＤ）９０とを備えている。
【００１６】
図示しない基地局から到来した無線搬送波信号は、アンテナ１１で受信されたのち無線部１０の高周波スイッチ（ＳＷ）１２を介して受信部１３に入力される。この受信部１３では、上記受信された無線搬送波信号がシンセサイザ１４から発生された局部発振信号とミキシングされ、これにより上記無線搬送波信号は受信中間周波信号にダウンコンバートされる。なお、上記シンセサイザ１４から発生される局部発振信号周波数は、制御部５０の指示により無線チャネル周波数に対応する値に設定される。また、無線部１０には受信電界強度検出部（ＲＳＳＩ）１６が設けられている。この受信電界強度検出部１６では、基地局から到来した無線搬送波信号の受信電界強度が検出され、その検出値は例えば受信品質の判定・表示を行うために制御部５０に通知される。
【００１７】
上記受信部１３から出力された受信中間周波信号は、モデム部２の復調部２１に入力される。復調部２１では上記受信中間周波信号のディジタル復調が行なわれ、これによりディジタル復調信号が再生される。ＴＤＭＡ部３０のＴＤＭＡデコード部３１は、上記ディジタル復調信号を受信タイムスロットごとに分離し、この分離した複数のスロットの信号から自端末に割り当てられたスロットのディジタル復調信号を抽出する。そして、抽出したスロットの信号が通話データであればこの通話データを通話部４０に入力する。一方、分離したスロットの信号が制御データや、インターネット上のウエブサイト等からダウンロードされたオーディオデータや電子メール等の情報データであれば、これらのデータをデータ通信部７０に入力する。
【００１８】
通話部４０は、ＡＤＰＣＭ（Adaptive Differential Pulse Code Modulation）トランスコーダ４１と、ＰＣＭコーデック４２と、先に述べたステレオ再生用の２個のスピーカ４３Ｌ，４３Ｒと、マイクロホン４４とを備えている。ＡＤＰＣＭトランスコーダ４１は、上記ＴＤＭＡデコード部３１から出力された通話データを復号する。ＰＣＭコーデック４２は、上記ＡＤＰＣＭトランスコーダ４１から出力されたディジタル通話信号をアナログ信号に変換し、この通話信号を上記第１及び第２のスピーカ４３Ｌ，４３Ｒのうち受話器として使用される第１のスピーカ４３Ｌから拡声出力する。
【００１９】
データ通信部７０は、上記ＴＤＭＡデコード部３１から供給されたデータを受信し、このデータを制御部５０に供給する。制御部５０は受信データが制御データであればこの制御データを解析して必要な制御を行う。これに対し受信データが電子メールやダウンロードデータ等の情報データであれば、この情報データを情報記憶部６０に記憶する。
【００２０】
一方、マイクロホン４４に入力されたユーザの送話信号は、ＰＣＭコーデック４２でＰＣＭ符号化されたのち、ＡＤＰＣＭトランスコーダ４１でさらに圧縮符号化される。そして、この符号化されたディジタル送話データはＴＤＭＡエンコード部３２に入力される。また制御部５０から出力された制御データや、電子メール等の情報データは、データ通信部７０を経て上記ＴＤＭＡエンコード部３２に入力される。
【００２１】
ＴＤＭＡエンコード部３２は、上記ＡＤＰＣＭトランスコーダ４１から出力されたディジタル送話データ、およびデータ通信部７０から出力された制御データや情報データを、制御部５０から指示された送信タイムスロットに挿入して多重化する。変調部２２は、上記ＴＤＭＡエンコード部３２から出力された多重化ディジタル通信データにより送信中間周波信号をディジタル変調し、この変調した送信中間周波信号を送信部１５に入力する。
【００２２】
送信部１５は、上記変調された送信中間周波信号をシンセサイザ１４から発生された局部発振信号とミキシングして無線搬送波周波数にアップコンバートし、さらに所定の送信電力レベルに増幅する。この送信部１５から出力された無線搬送波信号は、高周波スイッチ１２を介してアンテナ１１から図示しない基地局に向け送信される。
【００２３】
ところで、制御部５０は例えばマイクロコンピュータを主制御部として備えたもので、無線接続制御や通話制御、情報データの送受信制御等の基本的な通信制御機能に加え、この発明に係わる新たな機能として、オーディオ再生制御機能５１と、着信報知制御機能５２とを備えている。
【００２４】
このうち先ずオーディオ再生制御機能５１は、ユーザがキー入力部８０においてオーディオデータの再生操作を行った場合に、該当するオーディオデータを情報記憶部６０から選択的に読み出してオーディオ復号部７１に供給する。オーディオ復号部７１は、供給されたオーディオデータを所定のオーディオ復号方式に従い復号して右チャネル及び左チャネルからなるディジタルステレオ信号を再生する。これら右チャネル及び左チャネルのディジタルステレオ信号は、通話部４０のＰＣＭコーデック４２によりアナログ信号に変換されたのち左右２個のスピーカ４３Ｌ，４３Ｒから出力される。
【００２５】
着信報知制御機能５２は、着信信号が到来した場合に、待ち受け中とオーディオ再生中とで異なる着信報知制御を行う。先ず待ち受け中には、情報記憶部６０から予め着信報知音として登録してある着信メロディデータを読み出し、この着信メロディデータをオーディオ復号部７１に入力する。この場合オーディオ復号部７１は、上記入力された着信メロディデータを復号してモノラルのディジタル着信メロディ信号を再生する。そして、このディジタル着信メロディ信号をＰＣＭコーデック４２でアナログ信号に変換させたのち、左右２個のスピーカ４３Ｌ，４３Ｒのうち左のスピーカ４３Ｌから出力させる。
【００２６】
一方、オーディオ再生中の場合には、再生中のオーディオデータの読み出しを中断して代わりに着信メロディデータを情報記憶部６０から読み出し、この着信メロディデータをオーディオ復号部７１に入力する。この場合オーディオ復号部７１は、先に述べたオーディオデータを再生する場合と同様に、入力された着信メロディデータを所定のオーディオ復号方式に従い復号して右チャネル及び左チャネルのディジタルステレオ信号を再生する。そして、これら右チャネル及び左チャネルの各ディジタルステレオ信号を、通話部４０のＰＣＭコーデック４２に供給してアナログ信号に変換させたのち左右２個のスピーカ４３Ｌ，４３Ｒから出力させる。
【００２７】
次に、以上のように構成された移動通信端末の動作を説明する。
（１）待ち受け中に着信が到来した場合
待ち受け状態において、第１及び第２の筐体１ａ，１ｂは図３に示すように折り畳まれた状態となっている。この状態で、基地局から着信信号が到来したとする。そうすると制御部５０は、着信報知制御機能５２により、先ず２個のスピーカ４３Ｌ，４３Ｒのうち第１の筐体１ａに設けられた第１のスピーカ４３Ｌを駆動状態に設定し、他方の第２のスピーカ４３Ｒを非動作状態に設定する。
【００２８】
次に、情報記憶部６０から予め登録してあるモノラルの着信メロディデータを読み出し、この着信メロディデータをオーディオ復号部７１に供給する。そうするとオーディオ復号部７１は、供給された上記モノラルの着信メロディデータを復号して着信メロディ信号を再生する。この着信メロディ信号はＰＣＭコーデック４２においてアナログ信号からなる着信報知音に変換されたのち、第１の筐体のスピーカ４３Ｌに供給されてこのスピーカ４３Ｌから出力される。
【００２９】
このとき、端末は先に述べたように折り畳まれた状態になっている。このため、スピーカ４３Ｌから出力された着信報知音は端末外へ放出されにくい。しかし、第１の実施形態の端末では、図１乃至図４に図示したように筐体１ａのスピーカ４３Ｌの設置部位に凹部４が形成されており、この凹部４は筐体１ａの端部において開放されている。このため、上記着信報知音はこの凹部４から端末外部へ効率良く放出される。
【００３０】
（２）通話を行う場合
上記着信報知に対し、この端末のユーザが筐体１ａ，１ｂを開いて図１に示す状態に設定したのち、着信応答操作を行ったとする。そうすると端末は通話状態に移行する。この通話状態において制御部５０は、上記２個のスピーカ４３Ｌ，４３Ｒのうち、受話器として使用される第１のスピーカ４３Ｌを動作状態とし、他方の第２のスピーカ４３Ｒを非動作状態に設定する。すなわち、この場合には（１）で述べた着信報知動作において設定した状態を維持する。
【００３１】
したがって、通話が開始されると、無線部１０、モデム部２０及びＴＤＭＡ部３０において受信復調された自端末宛の受信通話データは、ＡＤＰＣＭトランスコーダ４１において音声復号処理され、さらにＰＣＭコーデック４２によりアナログ受話信号に変換されたのち、上記第１及び第２のスピーカ４３Ｌ，４３Ｒのうち受話器として使用される第１のスピーカ４３Ｌから拡声出力される。
【００３２】
また、ユーザの送話音声は、第１の筐体１ｂに設けられたマイクロホン４４で検出される。そして、このマイクロホン４４から出力された送話信号は、ＰＣＭコーデック４２でディジタル信号に変換され、さらにＡＤＰＣＭトランスコーダ４１において音声符号化処理されてディジタル送話データとなる。そして、このディジタル送話データは、ＴＤＭＡ部３０、モデム部２０及び無線部１０によりＴＤＭＡ無線搬送波信号に変換されてアンテナ１１から送信される。
かくして、第２の筐体１ｂのマイクロホン４４を送話器とし、かつ第１の筐体１ａのスピーカ４３Ｌを受話器として使用した通話がなされる。
【００３３】
（３）オーディオデータの再生
音楽オーディオデータを取得する場合、端末ユーザは先ず端末の筐体１ａ，１ｂを開いて図１に示す通信可能な状態にする。そして、この状態で例えば端末に備えられているウエブ閲覧機能を起動して、移動通信ネットワークのコンテンツサーバ又はインターネット上の音楽サイトに対しアクセスし、希望する楽曲のダウンロードを要求する。
【００３４】
そうすると、コンテンツサーバ又は音楽サイトは、要求元の移動通信端末に対し、該当する楽曲の音楽オーディオデータをダウンロードする。移動通信端末は、上記音楽オーディオデータを無線部１０、モデム部２０及びＴＤＭＡ部３０を介してデータ通信部７０で受信し、この受信した音楽オーディオデータを制御部５０により情報記憶部６０に格納する。
【００３５】
さて、この状態でユーザが、キー入力部８０において情報記憶部６０に格納されている楽曲のうち、所望の楽曲を選択してその再生操作を行ったとする。そうすると、制御部５０はオーディオ再生制御機能５１により、先ず２個のスピーカ４３Ｌ，４３Ｒを両方とも動作状態に設定する。
【００３６】
次に制御部５０は、情報記憶部６０から該当する楽曲の音楽オーディオデータを読み出し、この音楽オーディオデータをオーディオ復号部７１に供給する。オーディオ復号部７１は、供給された音楽オーディオデータを所定のオーディオ復号方式に従い復号して右チャネル及び左チャネルのディジタルステレオ信号を再生する。これら右チャネル及び左チャネルのディジタルステレオ信号は、通話部４０のＰＣＭコーデック４２によりアナログ信号に変換されたのち、左右２個のスピーカ４３Ｌ，４３Ｒから出力される。
【００３７】
かくして、音楽オーディオデータのステレオ再生が行われる。このとき、スピーカ４３Ｌ，４３Ｒは、図１に示したように第１及び第２の筐体１ａ，１ｂのそれぞれの端部に設置されており、相互の間隔が十分に離れた状態になっている。このため、上記音楽オーディオデータは高いステレオ音響効果により再生される。
【００３８】
（４）オーディオ再生中の着信報知
上記音楽オーディオデータの再生中に着信が到来すると、次のように着信報知動作が行われる。
【００３９】
すなわち、着信信号の到来を検出すると制御部５０は、着信報知制御機能５２により、２個のスピーカ４３Ｌ，４３Ｒの駆動状態を保持したまま、再生中の音楽オーディオデータの情報記憶部６０からの読み出しを中断し、代わりにステレオ用の着信メロディデータを情報記憶部６０から読み出す。そして、この着信メロディデータをオーディオ復号部７１に供給する。
【００４０】
そうすると、オーディオ復号部７１では、供給された着信メロディデータが所定のオーディオ復号方式に従い復号され、これにより右チャネル及び左チャネルのディジタルステレオ信号からなる着信メロディ信号が再生される。そして、これら右チャネル及び左チャネルの各ディジタルステレオ信号は、通話部４０のＰＣＭコーデック４２によりアナログ信号に変換されたのち、左右２個のスピーカ４３Ｌ，４３Ｒから出力させる。
かくして、オーディオ再生中に着信が発生した場合の、ステレオ着信メロディによる着信報知がなされる。
【００４１】
以上述べたように第１の実施形態では、移動通信端末を折り畳み型としてその第１及び第２の各筐体１ａ，１ｂの端部にそれぞれステレオ用の第１及び第２のスピーカ４３Ｌ，４３Ｒを設け、音楽オーディオデータ再生時にこれら第１及び第２のスピーカ４３Ｌ，４３Ｒを駆動してステレオオーディオ信号を出力するようにしている。
【００４２】
したがって、移動通信端末としての携帯性を保持したまま音楽オーディオデータのステレオ再生が可能となり、しかもスピーカ４３Ｌ，４３Ｒを相互に十分離れた状態に設置することができるので、高いステレオ音響効果を得ることができる。
【００４３】
また、通話中及び着信発生時に、その受話音声及び着信報知音を上記オーディオ再生用のスピーカ４３Ｌ，４３Ｒを利用して出力するようにしている。すなわち、上記オーディオ再生用のスピーカ４３Ｌ，４３Ｒを受話器及び着信報知用のサウンダとして兼用している。このため、受話器及び着信報知専用のスピーカ又はサウンダを別に設ける必要がなく、その分端末の小型軽量化を維持することができる。
【００４４】
しかも、着信報知を行う際に、待ち受け中であるかオーディオ再生中であるかを判定する。そして、待ち受け中であれば端末は折り畳まれた状態になっているため、２個のスピーカ４３Ｌ，４３Ｒのうちの一方のスピーカ４３Ｌのみを駆動して着信報知音を出力するようにし、一方オーディオ再生中の場合には端末は開かれている状態になっているため、２個のスピーカ４３Ｌ，４３Ｒを両方とも使用して着信報知音を出力するようにしている。
【００４５】
このため、待ち受け中に着信が発生した場合には、スピーカを１個のみ使用した低消費電力による着信報知動作が行われ、一方オーディオ再生中に着信が発生した場合には、スピーカを２個とも使用してステレオ音響効果を発揮させた明瞭な着信報知動作が可能となる。
【００４６】
さらに、待ち受け時の着信報知用として使用されるスピーカ４３Ｌの設置部位に凹部４を形成して、この凹部４を端末筐体１ａの端部において開放させている。このため、端末が折り畳まれた状態においても、着信報知音は図４に示すように上記凹部４から端末外部へ効率良く放出され、この結果比較的小さい出力音量でも明瞭な着信報知を行うことができる。
【００４７】
（第２の実施形態）
この発明に係わる移動通信端末の第２の実施形態は、オーディオ再生用に設けた着信報知用の２個のスピーカを受話器及び着信報知用として使用する場合に、一方のスピーカを受話器として使用し、他方のスピーカを着信報知用として使用するようにしたものである。
【００４８】
図６は、第２の実施形態に係わる移動通信端末の外観を示すもので、（ａ）はその正面図、（ｂ）は側面図をそれぞれ示している。なお、同図において前記図１（ａ），（ｂ）と同一部分には同一符号を付して詳しい説明は省略する。また、回路構成については前記図５とほぼ同一なので、この第２の実施形態においても図５を用いて説明を行う。
【００４９】
この第２の実施形態の端末では、第１及び第２の各筐体１ａ，１ｂにそれぞれ設けられた第１及び第２のスピーカ４３Ｌ，４３Ｒのうち、第１のスピーカ４３Ｌが受話器として、また第２のスピーカ４３Ｒが待ち受け時の着信報知用として使用される。
【００５０】
第２の筐体１ｂの上記第２のスピーカ４３Ｒの設置部位には、凹部５が形成されている。この凹部５の端部は、図７に示すように第２の筐体１ｂの端部において開放されている。この凹部５は、前記第１の実施形態で述べた凹部４と同様、第１及び第２の筐体１ａ，１ｂを図８に示すように折り畳んだ状態において、第２のスピーカ４３Ｒから発生された着信報知音を筐体外部へ放出させる機能を有する。図９は上記図８の要部であるスピーカ設置部位の構成を拡大して示した図である。
【００５１】
また、この第２の実施形態の着信報知制御機能５２は、待ち受け中に着信が発生した場合には、情報記憶部６０から予め着信報知音として登録してある着信メロディデータを読み出し、この着信メロディデータをオーディオ復号部７１に入力する。この場合オーディオ復号部７１は、上記入力された着信メロディデータを復号してモノラルのディジタル着信メロディ信号を再生する。そして、このディジタル着信メロディ信号をＰＣＭコーデック４２でアナログ信号に変換させたのち、左右２個のスピーカ４３Ｌ，４３Ｒのうち右のスピーカ４３Ｒから出力させる。
【００５２】
一方、オーディオ再生中に着信が発生した場合には、再生中のオーディオデータの読み出しを中断して代わりに着信メロディデータを情報記憶部６０から読み出し、この着信メロディデータをオーディオ復号部７１に入力する。この場合オーディオ復号部７１は、先に述べたオーディオデータを再生する場合と同様に、入力された着信メロディデータを所定のオーディオ復号方式に従い復号して右チャネル及び左チャネルのディジタルステレオ信号を再生する。そして、これら右チャネル及び左チャネルの各ディジタルステレオ信号を、通話部４０のＰＣＭコーデック４２に供給してアナログ信号に変換させたのち左右２個のスピーカ４３Ｌ，４３Ｒから出力させる。
【００５３】
このような構成であるから、待ち受け中に着信が到来すると、制御部５０の着信報知制御機能５２により、先ず２個の第１及び第２のスピーカ４３Ｌ，４３Ｒのうち、第２の筐体１ｂに設けられた第２のスピーカ４３Ｒが駆動状態に設定され、他方の第１のスピーカ４３Ｌは非動作状態に設定される。そして、情報記憶部６０から読み出されたモノラルの着信メロディデータは、オーディオ復号部７１により復号されたのちＰＣＭコーデック４２によりアナログ信号に変換され、しかるのち第２の筐体のスピーカ４３Ｒに供給されてこのスピーカ４３Ｒから出力される。
【００５４】
一方、音楽オーディオデータの再生中に着信が到来すると、制御部５０の着信報知制御機能５２により、２個のスピーカ４３Ｌ，４３Ｒの駆動状態は保持されたまま、再生中の音楽オーディオデータに代わって情報記憶部６０からステレオ用の着信メロディデータが読み出される。そして、このステレオの着信メロディデータはオーディオ復号部７１により復号されたのちＰＣＭコーデック４２によりアナログ信号に変換され、しかるのち左右２個のスピーカ４３Ｌ，４３Ｒから出力される。
【００５５】
したがってこの第２の実施形態においても、前記第１の実施形態と同様に、オーディオ再生用のスピーカ４３Ｌ，４３Ｒを着信報知用に兼用することで端末の小型軽量化を維持することができる。しかも着信報知を行う際に、待ち受け中であるかオーディオ再生中であるかが判定されて、待ち受け中であればスピーカ４３Ｒのみから着信報知音が出力され、これにより低消費電力による着信報知が可能となる。一方、オーディオ再生中の場合には、２個のスピーカ４３Ｌ，４３Ｒを両方とも使用して着信報知音が出力される。このため、ステレオ音響効果を発揮させた明瞭な着信報知が可能となる。
【００５６】
さらに第２の実施形態においても、図６乃至図９に図示したように筐体１ｂのスピーカ４３Ｒの設置部位に凹部５が形成されており、この凹部５は筐体１ｂの端部において開放されている。このため、上記着信報知音はこの凹部５から端末外部へ効率良く放出され、この結果比較的小さい出力音量でも明瞭な着信報知を行うことができる。
【００５７】
（その他の実施形態）
前記各実施形態では、オーディオ再生中に着信が発生した場合に、再生中の音楽オーディオ信号に代えて着信報知メロディ信号をスピーカ４３Ｌ，４３Ｒから出力するようにした。しかし、これに限定されるものではなく、例えば再生中の音楽オーディオ信号に着信報知メロディ信号を重畳してスピーカ４３Ｌ，４３Ｒから出力するように構成してもよい。この場合、再生中の音楽オーディオ信号の出力レベルを適当なレベルに低下させることは勿論である。
【００５８】
また、端末筐体のスピーカ設置位置にスピーカの出力音を筐体の背面側へ導出するための導出孔を設け、端末を折り畳んだ状態でスピーカから発生される着信報知音をこの導出孔を介して端末外へ放出するようにしてもよい。
【００５９】
さらに、前記各実施形態では第１及び第２の筐体をヒンジ機構を介して回動自在に接続した折り畳み型の移動通信端末を例にとって説明したが、他に第１の筐体と第２の筐体とをスライド機構により伸縮自在に接続したタイプの移動通信端末にも、この発明は適用可能である。
【００６０】
その他、移動通信端末の種類と構成、第１及び第２のスピーカの設置位置、導出部の形状や構成及びサイズ等についても、この発明の要旨を逸脱しない範囲で種々変形して実施できる。
【００６１】
【発明の効果】
以上詳述したようにこの発明では、第１の筐体と第２の筐体とを接続機構により展開可能に接続してなる移動通信端末にあって、第１の筐体に第１のスピーカを設けると共に、第２の筐体に第２のスピーカを設け、ステレオオーディオ信号を上記第１および第２のスピーカから拡声出力させるように構成している。さらに、着信報知制御手段を備え、着信発生時に上記第１および第２のスピーカのいずれか一方を選択して、この選択したスピーカから着信報知音を出力させるように構成し、しかも着信報知音を拡声出力するために選択されるスピーカが設置されている筐体に、着信報知音を筐体外へ導出するための導出部をさらに設け、第１および第２の筐体が折り畳まれた状態で上記スピーカから発生されたのち当該筐体に設けられた放音孔を通して放出された着信報知音を、上記溝状の導出部を通して筐体外へ導出するように構成している。
したがってこの発明によれば、携帯性を損なわずに音楽データのステレオ再生を可能にした移動通信端末を提供することができる。また、ステレオ再生用のスピーカを利用して着信報知音を出力させることができ、これにより着信報知専用のスピーカを不要にして端末の小型化が可能となる。しかも、２個あるスピーカのうち、着信報知に適した一方が選択されて着信報知音が出力されるので、２個のスピーカをそのまま使用して着信報知音を出力する場合に比べ、消費電流を低減してバッテリ寿命を延ばすことができる。さらに、待ち受け状態において第１および第２の筐体が折り畳まれてスピーカが端末内に収容される場合でも、着信報知音を十分な音量で端末外に出力することができる。
さらにこの発明では、着信報知制御手段において、着信発生時に待ち受け中であるかステレオオーディオ信号の再生中であるかを判定し、待ち受け中であれば上記第１および第２のスピーカのいずれか一方を選択してこの選択したスピーカから着信報知音を出力させ、一方ステレオオーディオ信号の再生中であれば上記第１および第２のスピーカの両方を選択して、これらのスピーカからステレオオーディオ信号からなる着信報知音を出力させることも特徴としている。
このような構成であれば、待ち受け中には２個のスピーカのうち一方から着信報知音が出力される。一般に、待ち受け状態では筐体が折り畳まれている場合が多く、２個のスピーカから着信報知音を出力させることは無意味である。そこで、上記したように一方のスピーカのみから着信報知音を出力させることで、無駄な電力消費を削減することができる。一方、ステレオオーディオ信号の再生中には２個のスピーカの両方を使用して着信報知音がステレオ再生出力される。このため、高音質で臨場感のある着信報知が可能となる。
【図面の簡単な説明】
【図１】  この発明に係わる移動通信端末の第１の実施形態の外観を示す正面図と側面図。
【図２】  図１に示した移動通信端末の要部構成を拡大して示す側面図。
【図３】  図１に示した移動通信端末を折り畳んだ状態を示す側面図。
【図４】  図３に示した移動通信端末の要部構成を拡大して示す側面図。
【図５】  第１の実施形態に係わる移動通信端末の回路構成を示すブロック図。
【図６】  この発明に係わる移動通信端末の第２の実施形態の外観を示す正面図と側面図。
【図７】  図６に示した移動通信端末の要部構成を拡大して示す側面図。
【図８】  図６に示した移動通信端末を折り畳んだ状態を示す側面図。
【図９】  図８に示した移動通信端末の要部構成を拡大して示す側面図。
【符号の説明】
１ａ…第１の筐体
１ｂ…第２の筐体
２…ヒンジ機構
３Ｌ，３Ｒ…放出孔
４，５…凹部
１０…無線部
１１…アンテナ
１２…高周波スイッチ（ＳＷ）
１３…受信部
１４…シンセサイザ
１５…送信部
１６…受信電界強度検出部（ＲＳＳＩ）
２０…モデム部
２１…復調部
２２…変調部
３０…ＴＤＭＡ部
３１…ＴＤＭＡデコード部
３２…ＴＤＭＡエンコード部
４０…通話部
４１…ＡＤＰＣＭトランスコーダ
４２…ＰＣＭコーデック
４３Ｌ，４３Ｒ…スピーカ
４４…マイクロホン
５０…制御部
５１…オーディオ再生制御機能
５２…着信報知制御機能
６０…情報記憶部
７０…データ通信部
７１…オーディオ復号部
８０…キー入力部
９０…液晶表示器（ＬＣＤ）
【図１】
0004413453.tif 000002
【図２】
0004413453.tif 000003
【図３】
0004413453.tif 000004
【図４】
0004413453.tif 000005
【図５】
0004413453.tif 000006
【図６】
0004413453.tif 000007
【図７】
0004413453.tif 000008
【図８】
0004413453.tif 000009
【図９】
0004413453.tif 000010